(57)【要約】【課題】  観察試料液に含まれた観察体を多面的に観察することができる観察方法を提供すること【解決手段】  観察体を含む観察試料液を所定方向に流して観察体を観察するための観察方法。内周面の少なくとも一部に多数の微小突部１２が設けられた管部材６を用い、管部材の一端側に観察試料液を供給するための試料液供給手段１６を接続し、管部材６の他端側に観察試料液を回収するための試料液回収手段１８を接続する。試料液供給手段１６から管部材６を通して試料液回収手段１８に観察試料液を流すと、管部材６を流れる際に観察試料液に含まれる観察体が多数の微小突部１２に衝突し、かかる衝突によって観察体が観察試料液の所定方向の流れを利用して回動し、その結果、顕微鏡を用いて観察体を多面的に観察することができる。【選択図】  図２
2010151472.tif 000002
【特許請求の範囲】
【請求項１】
観察体を含む観察試料液を所定方向に流して前記観察体を観察するための観察方法であって、内周面の少なくとも一部に多数の微小突部が設けられた観察流路を有する流路部材を用い、前記観察流路の一端側に前記観察試料液を供給するための試料液供給手段を接続し、前記観察流路の他端側に前記観察試料液を回収するための試料液回収手段を接続し、前記試料液供給手段から前記観察流路を通して前記試料液回収手段に前記所定方向に前記観察試料液を流し、前記観察流路を流れる際に前記観察試料液に含まれる前記観察体を前記多数の微小突部に衝突させ、かかる衝突によって前記観察試料液の前記所定方向の流れを利用して前記観察体を回動させることを特徴とする観察体の観察方法。
【請求項２】
前記流路部材は前記観察流路を有する管部材から構成され、前記管部材をスライドグラスに橋渡しするように載置し、前記管部材を覆うようにカバーグラスを載置し、前記スライドグラスと前記カバーグラスとの間に封入剤を充填して前記管部材を固定することを特徴とする請求項１に記載の観察体の観察方法。
【請求項３】
前記管部材の内径は５０〜１０００μｍであり、前記管部材の前記多数の突起の高さは０．５〜１０μｍであることを特徴とする請求項２に記載の観察体の観察方法。
【請求項４】
前記観察試料液は、前記試料液供給手段と前記試料液回収手段との間の圧力差、又は前記試料液供給手段に収容された前記観察試料液と前記試料回収手段に収容された回収液との濃度差を利用して、前記試料液供給手段から前記管部材を通して前記試料液回収手段に流れることを特徴とする請求項2又は３のいずれかに記載の観察体の観察方法。
【請求項５】
観察体を含む観察試料液を所定方向に流して前記観察体を観察するための観察台であって、スライドグラスと、前記スライドグラスの上側に配設された流路部材と、を備え、前記流路部材の観察流路の内周面の少なくとも一部に多数の微小突部が設けられていることを特徴とする観察体の観察台。
【請求項６】
前記流路部材と前記スライドグラスとの間に封入剤が充填されていることを特徴とする請求項５に記載の観察台。
【請求項７】
前記流路部材は管部材から構成され、前記管部材の上側にカバーグラスが配設され、前記スライドグラスと前記カバーグラスとの間の空間に前記管部材を被うように前記封入剤が充填されることを特徴とする請求項６に記載の観察体の観察台。
【請求項８】
前記管部材の内径は５０〜１０００μｍであり、前記管部材の前記多数の突起の高さは０．５〜１０μｍであることを特徴とする請求項７に記載の観察体の観察台。
【発明の詳細な説明】
【技術分野】
【０００１】
本発明は、体細胞、植物細胞、細菌、ウイルスなどの観察体を観察するための観察台及び観察方法に関する。
【背景技術】
【０００２】
体細胞などの観察体を観察するためにスライドグラスを利用したプレパラートが用いられている（例えば、特許文献１参照）。このプレパラートは、例えば、スライドグラスに観察体を含む観察試料液を一滴落とし、次いでグラスカバーでもって気泡が入らないように観察試料液をゆっくり被い、その後、グラスカバーからあふれた観察試料を吸収し、このような手順によって形成される。
【０００３】
【特許文献１】特公平７−６９２５３号公報
【発明の開示】
【発明が解決しようとする課題】
【０００４】
上述したプレパラートを用いた観察では、観察すべき観察体がスライドグラスとカバーグラスとの間で静止状態に保持され、このように静止状態に保持された観察体を顕微鏡で観察するようになる。一般的に、観察体は三次元的な立体構造であるが、上述したプレパラートによる観察では、観察体を平面的にしか見ることができず、それ故に、観察体の特定の一面しか観察することができず、観察体を多面的に見ることができる観察台及び観察方法の実現が強く望まれている。
【０００５】
本発明の目的は、観察試料液に含まれた観察体を多面的に観察することができる観察台及び観察方法を提供することである。
【課題を解決するための手段】
【０００６】
本発明の請求項１に記載の観察体の観察方法は、観察体を含む観察試料液を所定方向に流して前記観察体を観察するための観察方法であって、内周面の少なくとも一部に多数の微小突部が設けられた観察流路を有する流路部材を用い、前記観察流路の一端側に前記観察試料液を供給するための試料液供給手段を接続し、前記観察流路の他端側に前記観察試料液を回収するための試料液回収手段を接続し、前記試料液供給手段から前記観察流路を通して前記試料液回収手段に前記所定方向に前記観察試料液を流し、前記観察流路を流れる際に前記観察試料液に含まれる前記観察体を前記多数の微小突部に衝突させ、かかる衝突によって前記観察試料液の前記所定方向の流れを利用して前記観察体を回動させることを特徴とする。
【０００７】
また、本発明の請求項２に記載の観察体の観察方法では、前記流路部材は前記観察流路を有する管部材から構成され、前記管部材をスライドグラスに橋渡しするように載置し、前記管部材を覆うようにカバーグラスを載置し、前記スライドグラスと前記カバーグラスとの間に封入剤を充填して前記管部材を固定することを特徴とする。
【０００８】
また、本発明の請求項３に記載の観察体の観察方法では、前記管部材の内径は５０〜１０００μｍであり、前記管部材の前記多数の突起の高さは０．５〜１０μｍであることを特徴とする。
【０００９】
また、本発明の請求項４に記載の観察体の観察方法では、前記観察試料液は、前記試料液供給手段と前記試料液回収手段との間の圧力差、又は前記試料液供給手段に収容された前記観察試料液と前記試料回収手段に収容された回収液との濃度差を利用して、前記試料液供給手段から前記管部材を通して前記試料液回収手段に流れることを特徴とする。
【００１０】
また、本発明の請求項５に記載の観察体の観察台は、観察体を含む観察試料液を所定方向に流して前記観察体を観察するための観察台であって、スライドグラスと、前記スライドグラスの上側に配設された流路部材と、を備え、前記流路部材の観察流路の内周面の少なくとも一部に多数の微小突部が設けられていることを特徴とする。
【００１１】
また、本発明の請求項６に記載の観察体の観察台では、前記流路部材と前記スライドグラスとの間に封入剤が充填されていることを特徴とする。
また、本発明の請求項７に記載の観察体の観察台では、前記流路部材は管部材から構成され、前記管部材の上側にカバーグラスが配設され、前記スライドグラスと前記カバーグラスとの間の空間に前記管部材を被うように前記封入剤が充填されることを特徴とする。
【００１２】
更に、本発明の請求項８に記載の観察体の観察台では、前記管部材の内径は５０〜１０００μｍであり、前記管部材の前記多数の突起の高さは０．５〜１０μｍであることを特徴とする。
【発明の効果】
【００１３】
本発明の請求項１に記載の観察体の観察方法によれば、内周面の少なくとも一部に多数の微小突部が設けられた観察流路を有する流路部材が用いられ、この観察流路の一端側に試料液供給手段が接続され、その他端側に試料液回収手段が接続される。そして、観察体（例えば、人体細胞などの体細胞、植物細胞、細菌、ウイルスなど）を含む観察試料液は、試料液供給手段から観察流路を通して試料液回収手段に流れ、この観察流路を通して流れる際に、観察試料液に含まれる観察体は観察流路の多数の微小突部に衝突し、かかる衝突によって観察試料液の流れを利用して観察体がゆっくりと回動され、その結果、観察試料液に含まれた観察体を多面的に観察することができる。
【００１４】
また、本発明の請求項２に記載の観察体の観察方法によれば、観察部材としての管部材がスライドグラスに橋渡しするように載置され、この管部材を覆うようにカバーグラスが載置され、スライドグラスとカバーグラスとの間に封入剤が充填されるので、スライドグラス上に管部材を固定してその取扱いを容易にすることができる。
【００１５】
また、本発明の請求項３に記載の観察体の観察方法によれば、管部材の内径が５０〜１０００μｍであり、管部材の多数の突起の高さが０．５〜１０μｍであるので、観察体としての体細胞、細菌、ウイルスなどを観察するのに好都合に適用することができ、微小突部に衝突した際に観察試料液の流れを利用して観察体をゆっくり回動させて観察することが可能となる。
【００１６】
また、本発明の請求項４に記載の観察体の観察方法によれば、試料液供給手段と試料液回収手段との間の圧力差（又は試料液供給手段に収容された観察試料液と試料回収手段に収容された回収液との濃度差）を利用して観察試料液を流すので、観察試料液をゆっくりと少しずつ流すことができ、このように流すことによって、観察体が管部材内の微小突部に衝突した際に観察試料液の流れを利用してゆっくりと回動させることができる。
【００１７】
また、本発明の請求項５に記載の観察体の観察台によれば、スライドグラスの上側に観察流路を有する流路を配設したので、観察流路を通して観察試料液を流すことによって、観察試料液に含まれた観察体を顕微鏡で観察することができる。また、観察流路の内周面の少なくとも一部に多数の微小突部が設けられているので、観察試料液を観察流路を通して流して観察する際に、観察試料液に含まれる観察体は観察流路の多数の微小突部に衝突し、かかる衝突によって観察試料液の流れを利用して観察体がゆっくりと回動されるようになり、従って、観察試料液に含まれた観察体を多面的に観察することが可能となる。
【００１８】
また、本発明の請求項６に記載の観察台によれば、流路部材としての管部材とスライドガラスとの間に封入剤が充填されているので、管部材をスライドグラスに固定して観察することができる。
【００１９】
また、本発明の請求項７に記載の観察台によれば、管部材の上側にカバーグラスを配設し、このカバーグラスとスライドグラスとの間の空間に封入剤を充填したので、管部材を確実に固定して観察体を所望の通りに観察することができる。
【００２０】
更に、本発明の請求項８に記載の観察体の観察台によれば、管部材の内径は５０〜１０００μｍであり、管部材の前記多数の突起の高さは０．５〜１０μｍであるので、観察体としての人体細胞、細菌、ウイルスなどを多面的に観察するのに好都合に適用することができる。
【発明を実施するための最良の形態】
【００２１】
以下、添付図面を参照して、本発明に従う観察体の観察台及び観察方法について説明する。図１は、本発明に従う観察台の一実施形態を示す斜視図であり、図２は、図１におけるＩＩ−ＩＩ線による断面図であり、図３は、図１におけるＩＩＩ−ＩＩＩ線による断面図であり、図４は、観察体の回動のメカニズムを説明するための拡大説明図であり、図５は、管部材の製作における吹付け工程を説明するための図であり、図６は、管部材の製作における加熱溶着工程を説明するための図であり、図７は、管部材の製作におけるプレパラート載置工程を説明するための図であり、図８は、管部材の製作における封入剤充填工程を説明するための図である。
【００２２】
図１〜図３において、図示の観察台２は、ベースとなるスライドグラス４と、スライドグラス４の上側に配設された管部材６と、この管部材６の上側に配設されたカバーグラス８とから構成され、スライドグラス４とカバーグラス８との間の空間に封入剤１０が充填される。（尚、図１においては充填剤を省略して示している）。スライドグラス４、カバーグラス４及び管部材６は、例えば透明なガラス材料から形成され、スライドグラス４及びカバーグラス６は例えば市販されているものを用いることができる。
【００２３】
この観察台２を用いて観察体Ｐ（図４参照）を観察するときには、観察体Ｐを含む観察試料液がこの管部材６を通して流れ、このことに関連して、管部材６は次のように構成される。管部材６の内周面の少なくとも一部に多数の微小突部１２（図４も参照）が設けられる。このような微小突部１２は、例えば管部材６と同じ材料（例えば、透明なガラス材料）から形成され、後述するように、ガラス粉末を加熱溶着することによって管部材６の内周面に一体的に設けることができる。
【００２４】
この実施形態では、流路部材としての管部材６の内周面、即ち観察流路１４を規定する周面の全域に多数の微小突部１２がほぼ均一に設けられている。管部材６の内側の断面形状（即ち、流路１４を規定する周面の断面形状）は、円形状に形成されており、このような断面形状にすることによって、観察試料液を流しながら観察体Ｐを後述するように多面的に観察することができる。尚、管部材６の内側断面形状（即ち、観察流路１４）を楕円形状にしてもよく、このような楕円形状にすることによって、スライドグラス４に固体した状態での管部材６の厚みを薄くすることができ、顕微鏡を用いて観察するときの観察が容易となる。
【００２５】
管部材６内径は、５０〜１０００μｍにするのが好ましく、このような大きさに形成することによって、観察体Ｐとしての体細胞（細胞集塊）、細菌、ウイルスなどを多面的に観察するのに好都合に適用することができる。この管部材６の内径（即ち、観察流路１４の直径）は、観察すべき観察体Ｐの大きさによって適宜に選定され、観察体Ｐの最大のものを基準にして２〜３倍の大きさにするのが望ましい。一般的に、顕微鏡を用いて観察する細胞集塊の最大の大きさは約３００μｍ程度であり、このような細胞集塊を観察する場合、その内径が１０００μｍ程度に形成され、このような大きさにすることによって、管部材６に詰まることなく観察体Ｐをその内周面の微小突部１２に所望の通りに衝突させることができる。
【００２６】
多数の微小突部１２の大きさ、即ち内側に突出する突出高さは、０．５〜１０μｍにするのが望ましく、このような高さに設定することによって、観察体を後述する如く衝突させて回動させることができる。微小突部の突出高さが０．５μｍより低くなると、観察体が衝突し難く、また衝突したとしてもほとんど回動することなく下流側に流れるようになり、またその突出高さが１０μｍを超えると、これらの突起が観察試料液の流れに対する大きな抵抗となる。
【００２７】
このような管部材６は、スライドグラス４の上側に横方向（スライドグラスの長手方向に対して垂直な方向であって、図１において左上から右下の方向）に橋渡しするように配設され、その片側（図１及び図２において左側）に試料液供給手段１６が接続され、その他側（図１及び図２において右側）に試料液回収手段１８が接続される。この実施形態では試料液供給手段１６及び試料液回収手段１８がスポイト２０，２２から構成され、供給側のスポイト２０の先端部２４が管部材６の一端部内に（観察流路１４の片側に）挿入接続され、回収側のスポイト２２の先端部２６が管部材６の他端部内に（観察流路１４の他側に）挿入接続され、この場合、図２に矢印３０で示すように、観察試料液は、供給側のスポイト２０から管部材６（観察流路１４）を通して回収側のスポイト２２へと所定方向（図２において右方）に流れる。尚、上述したと反対に、管部材６の上記片側に試料液回収手段１８（回収側のスポイト２２）を接続し、その上記他側に試料液供給手段１６（供給側のスポイト２０）を接続するようにしてもよく、かかる場合、観察試料液は矢印３０で示す方向とは反対方向に流れる。
【００２８】
試料液供給手段１６として観察試料液が収容される供給側容器から構成し、試料液回収手段１８として観察試料液が回収される回収側容器から構成し、供給側容器を例えば供給チューブを介して管部材６の一端側に接続し、回収側容器を例えば回収チューブを介して管部材６の他端側に接続し、例えば送給ポンプ（又は重力など）を利用して、供給側容器から供給チューブ、管部材及び回収チューブを介して回収側容器に観察試料液を流すようにしてもよい。
【００２９】
観察試料液としては、例えば有機溶剤を用いることができ、封入剤を適度にキシレンで薄めたものを好都合に用いることができる。観察試験液としては、観察体Ｐ（例えば、細胞集塊）を色素により染色し、染色後有機溶剤で透徹した場合、有機溶剤を選択する必要がある。生体染色などを行い、水溶性溶液中で観察する場合、水やアルコール等の適宜な液体を用いることができる。
【００３０】
この観察台２は、例えば図５〜図８に示すようにして製作することができる。観察台２の管部材６を製作するには、例えば透明ガラス材料から形成されたガラス毛細管３２（例えば、ヘマトクリット管）を用いるとともに、透明ガラス材料から形成されたグラス粉末３４（例えば、カバーグラス８を微小に磨り潰したもの）を用意する。ガラス粉末３４としては大きさが０．５〜１０μｍ程度のものを用いる。そして、例えばスポイト３６にガラス粉末３４を吸い込ませた後、図５に示すようにスポイト３６を押してスポイト３６内のガラス粉末３４をガラス毛細管３２内に吹き付け、このように吹き付けることによって、ガラス粉末３４をガラス毛細管３２の内周面に実質上均一に付着させることができる。例えば、ガラス粉末３４に静電気を付与し、この静電気を利用してガラス毛細管３２の内周面に付着させるようにしてもよい。
【００３１】
次いで、図６に示すように、ガラス毛細管３２を加熱してガラス粉末３４をその内周面に溶着させる。加熱には例えばガスバーナ３８を用い、このガスバーナ３８の火炎によって均一に加熱されるように、矢印４０で示す軸方向に移動させるとともに、矢印４２で示す周方向に回動させる。このように加熱すると、ガラス粉末３４が溶融し、溶融したガラス粉末３４がガラス毛細管３２の内周面に溶着し、このようにして多数の微小突部１２を有する管部材６を製作することができる。
【００３２】
次に、図７に示すように、スライドグラス４の上側に管部材６を配設し、その上側にカバーグラス８を配設する。このとき、管部材６はスライドグラス４の長手方向略中央部に横方向に橋渡しするように（即ち、横切るように）載置され、またカバーグラス８はこの管部材６を覆うように載置される。
【００３３】
その後、図８に示すように、スライドグラス４とカバーグラス８との間の空間に封入剤１０を充填し、この充填剤１０によって管部材８の周囲を包むようにする。このような封入剤１０としては例えば  カナダバルサムなどを用いることができ、このような封入剤１０が乾燥して管部材６が固定され、このようにして図１〜図３に示す観察台２を製作することができる。
【００３４】
次に、図１〜図４を参照して、上述したようにして製作された観察台２を用いた観察体Ｐの観察について説明する。観察に際して、観察台２を顕微鏡（図示せず）の観察領域に取り付ける。そして、図２に示すように、観察体Ｐを含む観察試料液の入った供給側スポイト２０を管部材６の片側に接続し、何も入っていない回収側スポイト２２を管部材６の他側に接続する。
【００３５】
供給側及び回収側スポイト２０，２２をこのように接続した状態において、供給側スポイト２０をゆっくり押しながら供給側スポイト２０内の観察試料液を矢印３０（図２参照）で示すように管部材６を通して流して回収側スポイト２２に回収する（このとき、観察試料液の流れをスムースにするために、回収側スポイト２２を押した状態からゆっくり解放する）。
【００３６】
このように観察試料液を管部材６を通してゆっくり流すと、図４に示すように、観察試料液に含まれた観察体Ｐの一部（具体的には、管部材６の内周面近傍を矢印４０で示す方向に流れる観察体）が管部材６内周面の微小突部１２に衝突し、かかる衝突によって観察体Ｐにおける衝突部位では矢印４０で示す方向の移動が停止する一方、この衝突部位と反対側の部位では観察試料液の矢印４０で示す方向の流れが作用する。その結果、微小突部１２に衝突した観察体Ｐは観察試料液の流れを利用して回動し、管部材６の内周面の図４において上側近傍を流れる観察体Ｐは、矢印４２で示すように図４において反時計方向に回動するようになり、またその内周面の図４において下側近傍を流れる観察体Ｐは、矢印４４で示すように図４において時計方向に回動するようになる。
【００３７】
このように観察体Ｐが回動しながら下流側に動くので、顕微鏡でもって所定の観察領域を見ているのみでもって観察体Ｐを多面的に見ることができ、簡単な方法でもって観察体Ｐをより詳細に観察することが可能となる。
【００３８】
この観察方法では、観察試料液としてある程度の粘性を有する液体を用いるのが望ましく、このような液体を用いることによって、観察試料液の流れをゆっくりとすることができるとともに、観察体Ｐの回動速度もその粘性でもって遅くすることができ、観察体Ｐの詳細な観察がより容易となる。尚、観察体Ｐの衝突による回動の速度は、観察試料液の流速及び粘性、管部材６の内径、観察体Ｐの大きさなどの影響を受け、その観察が容易となるように観察試料液の流速及び粘性、管部材の内径などが適宜に設定される。
【００３９】
上述した観察方法では、供給側スポイト２０内の観察試料液を管部材６を通して回収側スポイト２２に回収しており、このように２つのスポイトを用いて観察する場合、供給側スポイト２０内の観察試料液を回収側スポイト２２に流した後においては、回収側スポイト２２に観察試料液が充填され、供給側スポイト２０が空となるので、次は回収側スポイト２２を供給側スポイトと、また供給側スポイト２０を回収側スポイトとして利用することによって、観察試料液に含まれた観察体Ｐを繰り返し観察することができる。
【００４０】
この観察方法では、観察試料液としては、例えば有機溶剤を用いることができ、封入剤をキシレンで薄めたものを好都合に用いることができる。
以上、本発明に従う観察体を観察するための観察台及び観察方法の実施形態について説明したが、本発明はかかる実施形態に限定されるものではなく、本発明の範囲を逸脱することなく種々の変形乃至修正が可能である。
【００４１】
例えば、上述した実施形態の観察台では、スライドグラスの上側に管部材を配設し、この管部材の上側にカバーグラスを配設し、スライドグラスとカバーグラスとの間の空間に封入剤を充填したが、このような形態に限定されず、スライドグラスの上側に管部材を配設し、スライドグラスと管部材との間に封入剤を充填するようにしてもよく（カバーグラスを省略したもの）、或いは、スライドグラスの上側に管部材を設けるようにしてもよい（カバーグラス及び封入剤を省略したもの）。
【００４２】
また、上述した実施形態では、流路部材として管部材を用いているが、このような管部材に限定されず、板状又はブロック状の部材に観察流路を形成し、このような板状部材又はブロック状部材を流路部材として用いることができる。
【００４３】
また、上述した実施形態の観察台では、管部材の内周面の全域に多数の微小突部を設けているが、その全域に設ける必要はなく、その内周面の少なくとも一部に設けることによって上述した所望の効果を達成することができる。例えば、管部材の上流側部（試料液供給手段側の部分）にあっては上部内周面（又は下部内周面）に多数の微小突部を設け、その下流側部（試料液回収手段側の部分）にあっては下部内周面（又は上部内周面）に多数の微小突部を設けるようにしてもよい。
【００４４】
また、例えば観察体が4方向に回転するように、図９及び図１０に示すように構成することができる。尚、図９及び図１０において、図１〜図８に示す部材と実質上同一の部材には同一の参照番号を付し、その説明を省略する。
【００４５】
図９及び図１０において、この他の形態の観察台２Ａでは、流路部材としての管部材６Ａに修正が施されており、管部材６Ａの内周面に周方向に実質上等間隔をおいて４つの突部領域５２ａ，５２ｂ，５２ｃ，５２ｄが設けられている。各突部領域５２ａ，５２ｂ，５２ｃ，５２ｄには多数の微小突部１２が設けられ、これら微小突部には、上述した実施形態と同様に、グラス粉末から後述するように形成することができる。
【００４６】
この形態では、管部材６Ａがその軸方向（図９において左下から右上の方向、図１０において左右方向）に連続して設けられた４つの部分５４ａ，５４ｂ，５４ｃ，５４ｄから構成され、これらの部分５４ａ，５４ｂ，５４ｃ．５４ｄに対応する突部領域５２ａ，５２ｂ，５２ｃ，５２ｄが設けられ、図９において左下から右上に向けて（図１０において左から右に向けて）見て、管部材６Ａの部分５４ａにはその左横内面に突部領域５２ａがその部分５４ｂにはその上内面に突部領域５２ｂが、その部分５２ｃにはその右横内面に突部領域５２ｃが、またその部分５４ｄにはその下内面に突部領域５２ｄが周方向に実質上９０度の間隔をおいて設けられている。
【００４７】
この形態では、周方向に間隔をおいて４つの突部領域５２ａ，５２ｂ，５２ｃ，５２ｄを設けているが、これに限定されず、この突部領域を周方向に２つ又は３つ、或いは５つ以上設けるようにしてもよい。また、この形態では、管部材６Ａの部分５４ａ，５４ｂ，５４ｃ，５４ｄに対応して突部領域５２ａ，５２ｂ，５２ｃ，５２ｄを設けているが、このような構成に限定されず、これらの領域５２ａ，５２ｂ，５２ｃ，５２ｄを管部材６Ａの一端から他端まで設けるようにしてもよい。
【００４８】
図９に示す観察台２Ａに用いる管部材６Ａは、例えば図１０に示すようにして製作することができる。まず図１０（ａ）に示すように、ガラス毛細管３２１に極微細な線６２（例えば、極微細なピアノ線）を通し、この線６２にグラス粉末６４を付け、グラス粉末６４が付いた部位をガラス毛細管３２内に位置付ける。そして、線６２をガラス毛細管３２の内面に押し付け、その内周面の特定部位に一端から他端にわたってグラス粉末６４を付着させる。尚、これとは逆に、線６２にグラス粉末６４を付け、グラス粉末６４が付いた線６２をガラス毛細管３２に通すようにしてもよい。
【００４９】
その後、図１０（ｂ）で示すように、上述したと同様に、例えばガスバーナ（図示せず）を用いて加熱し、付着したグラス粉末をガラス毛細管３２の内面に溶着させる。このようにしてガラス毛細管３２の内周面の一部に突部領域６６を形成する。
【００５０】
次に、図１０（ｃ）で示すように、このガラス毛細管３２を一点鎖線６８ａ，６８ｂ，６８ｃで示す個所で切断し、部分５４ａ，５４ｂ，５４ｃ，５４ｄの４つに分析する。
【００５１】
しかる後に、図１０（ｄ）で示すように、部分５４ａに対して部分５４ｂを図１０（ｄ）の左から右に見て時計方向に９０度回動した位置関係に位置付け、部分５４ａと部分５４ｂとを加熱などによって溶融接合する。また、部分５４ｂに対して部分５４ｃを図１０（ｄ）の左から右に見て時計方向に９０度回動した位置関係に位置付けて部分５４ｂに部分５４ｃを溶融接合し、更に部分５４ｃに対して部分５４ｄを同様に時計方向に９０度回動した位置関係に位置付けて部分５４ｄを部分５４ｃに溶融接合し、このようにして管部材６Ａを製作することができる。
【００５２】
このように製作した管部材６Ａは、上述したと同様にしてスライドグラス４に載置し、カバーグラス８を載せ、スライドグラス４とカバーグラス８との間に封入剤１０を充填して図９に示す通りの観察台２Ａを製作することができる。
【図面の簡単な説明】
【００５３】
【図１】本発明に従う観察台の一実施形態を示す斜視図。
【図２】図１におけるＩＩ−ＩＩ線による断面図。
【図３】図１におけるＩＩＩ−ＩＩＩ線による断面図。
【図４】観察体の回動のメカニズムを説明するための拡大説明図。
【図５】管部材の製作における吹付け工程を説明するための図。
【図６】管部材の製作における加熱溶着工程を説明するための図。
【図７】管部材の製作におけるプレパラート載置工程を説明するための図。
【図８】管部材の製作における封入剤充填工程を説明するための図。
【図９】他の形態の観察台を示す断面図。
【図１０】図９の観察台を製作するための工程を説明するための図。
【符号の説明】
【００５４】
２，２Ａ  観察台
４  スライドグラス
６，６Ａ  管部材
８  カバーグラス
１０  封入剤
１２  微小突部
１６  試料液供給手段
１８  試料液回収手段
３２  ガラス毛細管
３４  ガラス粉末
５２ａ，５２ｂ，５２ｃ，５２ｄ  突部領域
Ｐ  観察体
【図１】
2010151472.tif 000003
【図２】
2010151472.tif 000004
【図３】
2010151472.tif 000005
【図４】
2010151472.tif 000006
【図５】
2010151472.tif 000007
【図６】
2010151472.tif 000008
【図７】
2010151472.tif 000009
【図８】
2010151472.tif 000010
【図９】
2010151472.tif 000011
【図１０】
2010151472.tif 000012